(57)【要約】【課題】  メガネのフロント部正面に前掛けフレームを着脱自在に取付けて成る前掛け式メガネであって、前掛けフレームが安定して取付けられ、又前掛けフレームを取外す際には、曲がったり捩られたりしないようにした前掛け式メガネの提供。【解決手段】  フロント部１及び前掛けフレーム２のリム内周には磁石の微粉末を混入して柔軟性に優れた磁性帯１１，１１を取付けてレンズ外周との間に介在している。磁性帯１１，１１の外側部１４，１４をリム表面側へ露出して前掛けフレーム２を該磁性帯１１，１１の磁気力にてフロント部１に取付けることが出来る。【選択図】    図１ 
2005084381.tif 000002
【特許請求の範囲】
【請求項１】
メガネのフロント部正面に前掛けフレームを着脱自在に取付けて成る前掛け式メガネにおいて、フロント部のリム内周には磁石の微粉末を混入して柔軟性に優れた磁性帯を取付けてレンズ外周との間に介在し、磁性帯の外側部をリム表面側へ露出して前掛けフレームを該磁性帯の磁気力にてフロント部に取付けることを特徴とする前掛け式メガネ。
【請求項２】
メガネのフロント部正面に前掛けフレームを着脱自在に取付けて成る前掛け式メガネにおいて、前掛けフレームのリム内周には磁石の微粉末を混入して柔軟性に優れた磁性帯を取付けてレンズ外周との間に介在すると共に磁性帯の外側部をリム表面側へ露出し、該前掛けフレームを磁性帯の磁気力にてフロント部に取付けることを特徴とする前掛け式メガネ。
【請求項３】
メガネのフロント部正面に前掛けフレームを着脱自在に取付けて成る前掛け式メガネにおいて、フロント部及び前掛けフレームのリム内周には磁石の微粉末を混入して柔軟性に優れた磁性帯を取付けてレンズ外周との間に介在し、磁性帯の外側部をリム表面側へ露出して前掛けフレームを該磁性帯の磁気力にてフロント部に取付けることを特徴とする前掛け式メガネ。
【発明の詳細な説明】
【技術分野】
【０００１】
本発明は、前掛けフレームをメガネのフロント部正面に安定して取付けることが出来る前掛け式メガネに関するものである。
【背景技術】
【０００２】
従来においても、メガネのフロント部に前掛けフレームを取付けたメガネは多用されている。これは周知の通り、近眼の人がサングラスを必要とする場合や、老眼であるにもかかわらず近眼でもあるといったケースは多く、このような場合に近眼用のメガネにサングラスの前掛けフレームを取付けたり、近眼用のメガネに老眼用レンズを入れた前掛けフレームを使用するといった具合である。
【０００３】
ところで、従来型式の前掛けフレームを備えたメガネには幾つかの問題がある。その１つは取付け構造が複雑である為に製作コストが高くなると共に、嵌合状態があまくなってガタ付きを生じ、前掛けフレームが安定しないと言った点である。その為に、前掛けフレームがメガネのフロント部に接触してキズが付き、時には該前掛けフレームが外れてしまうこともある。
【０００４】
図５は従来多用されている前掛け式メガネを示し、(ａ)はメガネ、(ｂ)は上記メガネ(イ)のフロント部(ハ)に取付けられる前掛けフレーム(ロ)を表している。フロント部(ハ)の両側に設けているヨロイ(ニ)、(ニ)には磁石(ホ)、(ホ)が取着され、前掛けフレーム(ロ)の両側に設けているヨロイ(ヘ)、(ヘ)にも同じく磁石(ト)、(ト)を有している。
【０００５】
そこで、上記前掛けフレーム(ロ)はフロント部(ハ)の正面に重ね合わされ、磁石(ホ)に磁石(ト)が引き付けられて取着される。勿論、磁石(ホ)、(ト)を介して取付けられる前掛けフレームが位置ズレしないように何らかの工夫はされている。実用新案登録第３０８１２７１号に係る「めがね」はこの前掛け式メガネフレームに相当する。
【０００６】
又、特許第２９９７４１８号に係る「着脱眼鏡取付装置」はフロントフレームのヨロイ部に受部を設けると共に該受部には磁石を取付け、前掛けフレームを該受部に載せて磁石にて吸着する構造と成っている。このように、従来の構造では前掛け式メガネのフロント部は特別な構造と成ってしまい、製作費が高くなってしまう。
【０００７】
近年では小さくて強力な磁石が開発され、フロント部(ハ)の両ヨロイ(ニ)、(ニ)に設けている磁石(ホ)、(ホ)を介して前掛けフレーム(ロ)は取付けられる。フロント部(ハ)に取付けられている前掛けフレーム(ロ)は引き離すことで取外すことが出来るが、強力な磁石(ホ)、(ホ)に引っ張られて該前掛けフレーム(ロ)は変形し、同時にフロント部(ハ)も変形する。
【０００８】
すなわち、前掛けフレーム(ロ)を外そうとする場合、磁石(ホ)、(ホ)にて吸着している部分はフロント部(ハ)側へ引っ張られて曲がったり、捩れたりする。その為に、リムに嵌っているレンズが外れたり、時にはレンズが欠けたり割れることもある。
【発明の開示】
【発明が解決しようとする課題】
【０００９】
このように、従来の前掛け式メガネには上記のごとき問題がある。本発明が解決しようとする課題はこれら問題点であり、前掛けフレームを安定して取付けることができ、又フロント部から取外す際には該前掛けフレームが無理に変形することがないようにした前掛け式メガネを提供する。
【課題を解決するための手段】
【００１０】
本発明に係る前掛け式メガネは従来のような磁石を所定の位置に設けるのではなく、柔軟性のある磁性帯を用い、該磁性帯をリム内周とレンズ外周の間に介在している。そして、磁性帯の両側部をリム表面側に露出し、該磁性帯の磁気力を介して前掛けフレームをフロント部正面に取付ける構造としている。従って、メガネのフロント部を構成するリム、又は前掛けフレームのリムの少なくとも一方に、上記磁性帯を取付けている。
【００１１】
この磁性帯は磁石の微粉末を混入した帯であり、その素材はゴム又は柔軟性のある樹脂が用いられる。そして、該磁性帯はリム内周溝及びレンズ外周になじむように概略Ｖ型断面、又は概略Ｍ型断面に成形したものを用いたり、平坦な帯状とする場合もある。ところで、上記磁性帯はフロント部正面に前掛けフレームを取付ける為の磁気力を発生すると共に、柔軟性のある磁性帯である為に、レンズの欠けや割れを防止する効果も大きい。
【発明の効果】
【００１２】
本発明の前掛け式メガネは、リム内周とレンズ外周の間に磁性帯を介在し、この磁性帯の磁気力を利用して前掛けフレームをメガネのフロント部正面に取付けることが出来る。ところで、磁性帯は両リム内周にわたって沿設される為に、部分的には弱い磁気力であっても、両リム全周に作用する磁気力は大きく成って、前掛けフレームは安定して取付けられる。
【００１３】
そして、従来のように、部分的に設けた磁石によって前掛けフレームを取付ける場合と違い、前掛けフレームをフロント部から取外す場合には、曲げられたり捩られることなく、レンズに無理な応力が作用して欠けや割れが発生することはない。勿論、磁性帯が柔軟性である為に、レンズ外周への集中応力を防止し、レンズ割れを防止する上で大きな効果がある。これは、単に前掛けフレームの着脱時のフレーム変形に起因する場合に限らず、リムにレンズを嵌めて締付ける際の応力集中を避けることが出来る。
【実施例】
【００１４】
図１は本発明に係る前掛け式メガネを示す実施例であり、前掛けフレームを取付ける前の状態を表している。同図において、１はメガネのフロント部、２は前掛けフレームを示し、フロント部１は両リム３，３が連結部材４にて連結され、リム３，３の外側にはヨロイ５，５がロウ付けされ、そしてヨロイ５，５には蝶番６，６を介してツル７，７が折畳み出来るように取付けられている。
【００１５】
一方、前掛けフレーム２は両リム８，８が連結部材９によって連結されただけの形態を成し、これがフロント部１の正面に取付けられる。ところで、フロント部１のリム３とレンズ１０の間には磁性帯１１が介在し、同じく前掛けフレーム２のリム８とレンズ１２の間にも磁性帯１１が介在している。該磁性帯１１はリム３，８とレンズ間に介在すると共に、外側部はリム表面へ露出していて、この露出した磁性帯１１によって前掛けフレーム２が引き付けられてフロント部１に取付けられる。
【００１６】
図２は磁性帯１１を示す具体例である。同図に示す磁性帯１１はその断面を概略逆Ｍ字型とし、リム３，８の内周に巻き付けられてレンズ１０，１２が嵌められる。該磁性帯１１は山形をした中央部１３と、該中央部１３の両側には外側部１４，１４が起立した断面形状と成っている。山形の中央部１３はリム３，８の内周に形成されている凹溝に嵌合し、外側部１４，１４はリム３，８の表面になじむことが出来る。そして、この状態でレンズ１０，１２が嵌るならば、上記磁性帯１１はリム３，８とレンズ１０，１２間に介在して取付けられ、リム３，８から外れることはない。
【００１７】
ところで、磁性帯１１の断面形状は同図に示す場合に限定しないが、ゴムや柔らかい樹脂を材質として成形され、そして内部には微細な磁石の粉末が混在している。従って、該磁性帯１１は磁気力を発生して磁性体を吸着することが出来る。又、リム３，８の内周に沿って湾曲し、レンズ外周との間に介在することが可能となり、レンズ外周の応力集中が避けられる。
【００１８】
図３はレンズ１０を嵌めた場合のリム断面拡大図を示している。同図に示すようにリム３とレンズ１０との間には磁性帯１１が介在している。山形をした中央部１３はリム３の内周溝に嵌って取付けられ、レンズ１０がリム３に嵌ることで該磁性帯１１は外れることはない。ここで、磁性帯１１をリム内周に取付ける場合に接着剤にて固定することが出来、外側部１４，１４はリム３の表面に露出している。
【００１９】
図４はフロント部１の正面に前掛けフレーム２を取付けた場合の一部断面を示している。リム３及びリム８の内周に取付けた磁性帯１１，１１の外側部１４，１４は互いに引き合って前掛けフレーム２が取付けられる。この場合、前掛けフレーム２のリム外周には位置決めバー１５，１５・・が後方へ延びていて、該位置決めバー１５，１５・・がフロント部１のリム３の外周に係合することで正しい位置に取付けられる。
【００２０】
ここで、上記位置決め手段としての位置決めバー１５はあくまでも１具体例に過ぎず、別の手段を使用することも可能である。又、磁性帯１１の外側部１４，１４は図３に示すようにリム３の表面まで延びる必要はないが、フロント部１に前掛けフレーム２が磁性帯１１を介して取付けられるように、磁気力が作用する形態でなくてはならない。
【図面の簡単な説明】
【００２１】
【図１】前掛けフレームを備えた前掛け式メガネ。
【図２】リムとレンズの間に介在する磁性帯。
【図３】磁性帯が取付けられているリム断面。
【図４】フロント部正面に前掛けフレームを取付けた一部断面図。
【図５】従来の前掛け式メガネ。
【符号の説明】
【００２２】
１  フロント部
２  前掛けフレーム
３  リム
４  連結部材
５  ヨロイ
６  蝶番
７  ツル
８  リム
９  連結部材
10  レンズ
11  磁性帯
12  レンズ
13  中央部
14  外側部
15  位置決めバー
【図１】
2005084381.tif 000003
【図２】
2005084381.tif 000004
【図３】
2005084381.tif 000005
【図４】
2005084381.tif 000006
【図５】
2005084381.tif 000007